(57)【要約】【課題】コネクタ抜け防止具を電子機器に固定する固定ネジを取り外すことなくコネクタを抜け止め又は挿抜可能にコネクタ抜け防止具の位置を変更できるようにして固定ネジの紛失を防止し、また、複数のコネクタを１つのコネクタ抜け防止具で抜け止めできるようにする。【解決手段】コネクタ抜け防止具５は、先端にコネクタ３から延びるケーブル２に嵌まる半円状の嵌合部６が複数形成され、コネクタ３を押さえて抜け止めする逆Ｌ字状の係止部７と、係止部７の基端に形成されて電子機器１に固定する固定ネジ８が挿通するためのガイド孔９を形成した固定部１０とで構成し、固定ネジ８を緩めた状態で係止部７がコネクタ３に係止する位置と、コネクタ３が挿抜可能に開放する位置間をスライド自在に取り付ける。【選択図】図１
2009259432.tif 000002
【特許請求の範囲】
【請求項１】
電子機器に接続されたコネクタの抜けを防止するコネクタ抜け防止具であって、先端に前記コネクタから延びるケーブルに嵌まる半円状の嵌合部が形成され、前記コネクタを押さえて抜け止めする逆Ｌ字状の係止部と、該係止部の基端に形成されて前記電子機器に固定する固定ネジが挿通するためのガイド孔を形成した固定部とで構成し、前記固定ネジを緩めた状態で前記係止部が前記コネクタに係止する位置と、前記コネクタが挿抜可能に開放する位置間をスライド自在にしたことを特徴とするコネクタ抜け防止具。
【請求項２】
前記係止部は前記嵌合部が前記コネクタの上方から嵌まるように配置し、前記ガイド孔は前記係止部が前記コネクタに係止する位置と、前記コネクタが挿抜可能に開放する位置間をスライドするための長孔部と、前記コネクタが挿抜可能に開放する位置でスライドをロックするロック孔部とで略Ｌ字状に形成したことを特徴とする請求項１に記載のコネクタ抜け防止具。
【請求項３】
前記係止部に前記嵌合部を複数設けたことを特徴とする請求項１又は請求項２に記載のコネクタ抜け防止具。
【発明の詳細な説明】
【技術分野】
【０００１】
本発明は、電子機器に接続されたコネクタの抜けを防止するコネクタ抜け防止具に関する。
【背景技術】
【０００２】
電子機器に電源を供給するために一端がコンセントに接続されるケーブルは他端に設けられたコネクタを電子機器に設けられたコネクタに差し込むことによりに接続している。しかしながら、接続されたケーブルは何らかの力が加わって引っ張られると電子機器からコネクタが外れる虞があり、電子機器によっては停止すると問題が生じるため、コネクタを押さえるようにコネクタ抜け防止具を電子機器に固定してコネクタの抜けを防止している。コネクタ抜け防止具は、金属板やワイヤにより形成され、ケーブルに嵌まるための半円状の嵌合部と固定ネジが挿通する挿通孔とを備え、嵌合部にケーブルを嵌めてコネクタを覆うようにし、挿通孔に固定ネジを挿通させて電子機器に形成されたネジ孔に締め付け固定することでケーブルのコネクタを押さえて電子機器から抜けないようになっている（例えば、特許文献１、特許文献２参照。）。
【０００３】
【特許文献１】実開昭６３−１５２１８０号公報
【特許文献２】特開平１−２７６５７４号公報
【発明の開示】
【発明が解決しようとする課題】
【０００４】
従来のコネクタ抜け防止具はコネクタを抜き差しする際に固定ネジを外してコネクタ抜け防止具を電子機器から取り外さなければならず、取り外した固定ネジを紛失する虞があった。また、コネクタ抜け防止具は１つのコネクタに対して１つ設けられるため、複数のコネクタを抜け止めする場合は、複数のコネクタ抜け防止具が必要になり、コストがかかるという欠点があった。
【課題を解決するための手段】
【０００５】
本発明は、請求項１に記載の発明によれば、電子機器に接続されたコネクタの抜けを防止するコネクタ抜け防止具であって、先端にコネクタから延びるケーブルに嵌まる半円状の嵌合部が形成され、コネクタを押さえて抜け止めする逆Ｌ字状の係止部と、係止部の基端に形成されて電子機器に固定する固定ネジが挿通するためのガイド孔を形成した固定部とで構成し、固定ネジを緩めた状態で係止部がコネクタに係止する位置と、コネクタが挿抜可能に開放する位置間をスライド自在にしたことを特徴とする。
【０００６】
請求項２に記載の発明によれば、請求項１に記載のコネクタ抜け防止具において、係止部は嵌合部がコネクタの上方から嵌まるように配置し、ガイド孔は係止部がコネクタに係止する位置と、コネクタが挿抜可能に開放する位置間をスライドするための長孔部と、コネクタが挿抜可能に開放する位置でスライドをロックするロック孔部とで略Ｌ字状に形成したことを特徴とする。
【０００７】
請求項３に記載の発明によれば、請求項１又は請求項２に記載のコネクタ抜け防止具において、係止部に嵌合部を複数設けたことを特徴とする。
【発明の効果】
【０００８】
請求項１に記載の発明によれば、コネクタ抜け防止具の固定ネジを取り外すことなくコネクタが抜け止め又は挿抜ができるようにコネクタ抜け防止具の位置を変更することができ、固定ネジの紛失を防止できるいう効果がある。
【０００９】
請求項２に記載の発明によれば、請求項１に記載の発明の効果に加えて、コネクタ抜け止め具の自重により係止部の嵌合部がケーブルに嵌まって固定ネジで固定するので係止部が外れることがなく、また、コネクタを挿抜する際に係止部を持ち上げた状態で固定ネジを締め付けなくても位置を保持することができ、作業性が向上するという効果がある。
【００１０】
請求項３に記載の発明によれば、請求項１又は請求項２に記載の発明の効果に加えて、複数のコネクタを１つのコネクタ抜け防止具で抜け止めすることができ、製造コストを低減することができるという効果がある。
【発明を実施するための最良の形態】
【００１１】
コネクタ抜け防止具は、先端にコネクタから延びるケーブルに嵌まる半円状の嵌合部が複数形成され、コネクタを押さえて抜け止めする逆Ｌ字状の係止部と、係止部の基端に形成されて電子機器に固定する固定ネジが挿通するためのガイド孔を形成した固定部とで構成し、固定ネジを緩めた状態で係止部がコネクタに係止する位置と、コネクタが挿抜可能に開放する位置間をスライド自在に取り付けられる。
【実施例１】
【００１２】
本発明に係るコネクタ抜け防止具の実施例１を図１〜図５の添付図面に基づいて説明する。
【００１３】
図１に示すように電子機器１は、ケーブル２の一端の電源プラグ（図示せず）がコンセント（図示せず）に接続され、他端のコネクタ３が電子機器１に設けられたコネクタ４に接続されて電源が供給されるようになっている。
【００１４】
電子機器１はケーブル２のコネクタ３が電子機器１から抜けないようにするためのコネクタ抜け防止具５が設けられ、コネクタ抜け防止具５は図２に示すように、先端にケーブル２に嵌まる複数の半円状の嵌合部６が切欠形成され、コネクタ３を押さえて抜け止めする逆Ｌ字状の金属板で成る係止部７と、係止部７の基端に折曲形成されて電子機器１に固定する固定ネジ８が挿通するためのガイド孔９を左右に形成した固定部１０とで構成されている。
【００１５】
ガイド孔９は係止部７がコネクタ３に係止する位置と、コネクタ３が挿抜可能に開放する位置間をスライドするための長孔部１１と、コネクタ３が挿抜可能に開放する位置でスライドをロックするロック孔部１２とで略Ｌ字状に形成されている。
【００１６】
コネクタ抜け防止具５の取り付けは、図３に示すように係止部７の嵌合部６が電子機器１のコネクタ４に接続されたケーブル２のコネクタ３の上方から嵌まるように配置し、固定部１０のガイド孔９の夫々に固定ネジ８を挿通させて電子機器１に形成されたネジ孔１３に螺着して取り付けられる。
【００１７】
このように取り付けられたコネクタ抜け防止具５によりコネクタ３を抜け止めするには、固定ネジ８を緩めた状態でコネクタ抜け防止具５をスライドさせて図４に示すように係止部７の嵌合部６をケーブル２に嵌め合わせ、固定ネジ８がガイド孔９の長孔部１１の上端の位置で固定ネジ８を締め付け固定する。これにより、係止部７がコネクタ３を押さえて抜き取り方向へ動かないようになるので抜けを防止することができる。
【００１８】
また、コネクタ３を挿抜する際は、図５に示すように固定ネジ８を緩め、コネクタ抜け防止具５を持ち上げて固定ネジ８がガイド孔９の長孔部１１の下端に位置するまでコネクタ抜け防止具５を上方にスライドさせ、固定ネジ８がガイド孔９の長孔部１１の下端についたら、左にスライドさせて固定ネジ８がロック孔部１２に嵌まるようにする。これにより、コネクタ抜け防止具５は持ち上げられてコネクタ３との係止が解除した状態で保持されるのでコネクタ３の挿抜作業が可能になる。
【図面の簡単な説明】
【００１９】
【図１】本発明に係るコネクタ抜け防止具が取り付けられた電子機器にコネクタを接続する様子を示す斜視図である。
【図２】コネクタ抜け防止具を示す斜視図である。
【図３】コネクタ抜け防止具を電子機器に取り付ける様子を示す斜視図である。
【図４】コネクタ抜け防止具によりコネクタを抜け止めした状態の電子機器を示し、（ａ）は要部背面図、（ｂ）は左後部側面図である。
【図５】コネクタを挿抜可能にコネクタ抜け防止具を開放した状態の電子機器を示し、（ａ）は要部背面図、（ｂ）は左後部側面図である。
【符号の説明】
【００２０】
１    電子機器
２    ケーブル
３    ケーブルのコネクタ
４    電子機器のコネクタ
５    コネクタ抜け防止具
６    嵌合部
７    係止部
８    固定ネジ
９    ガイド孔
１０    固定部
１１    長孔部
１２    ロック孔部
１３    ネジ孔
【図１】
2009259432.tif 000003
【図２】
2009259432.tif 000004
【図３】
2009259432.tif 000005
【図４】
2009259432.tif 000006
【図５】
2009259432.tif 000007